(57)【特許請求の範囲】
【請求項１】
底面床が平面状で円筒形の穀槽において、底面床の中央部にホッパー状をなす穀物排出口を設けるとともに、この穀物排出口側から穀槽の内周近傍まで延び、かつ上記中央部の穀物排出口側を中心として底面床に沿って旋回する穀物排出オーガを設け、上記中央部の穀物排出口側に設けた穀物排出オーガの駆動機構を、穀物排出口内に位置するモータと穀物排出オーガ側のギア機構をモータの出力軸に連結された垂直軸に連結して構成し、上記中央部の穀物排出口内に位置するモータにはその出力軸とともに回転する上部覆いを被せて、この上部覆いの上には堆積する穀物を拡散して中央部の穀物排出口に落入させる回転翼を取り付けたことを特徴とする穀槽における穀物排出装置。
【発明の詳細な説明】
【０００１】
【発明の属する技術分野】
本発明は、穀物を貯蔵したり乾燥する施設等の穀槽において、穀槽内に貯留した穀物を排出するための穀槽における穀物排出装置に関するものである。
【０００２】
【従来の技術】
通気壁により区画して上部に穀物貯留室を、かつ下部に通気室を形成してなる円筒形の穀槽において、穀物貯留室の底面床をなす通気壁の中央部に穀物排出口を設けるとともに、穀物排出口側を公転（旋回）中心とし、自転しながら穀物を排出する穀物排出オーガを設けた穀物排出装置は、実公昭６２−１８５７９号公報に記載されたものなどが知られている。
【０００３】
【発明が解決しようとする課題】
この種の穀物排出装置においては、図５に示すように、中央部の穀物排出口ａ側に、穀物排出オーガｂの旋回とその螺旋体ｃの回転のための駆動機構ｄが備えらているが、この駆動機構ｄの上は、穀物排出オーガｂによる穀物の集送作用が及ばない部位であるので、穀物Ａが堆積したままとなる。そして、穀物排出オーガｂは、駆動機構ｄ上に出ている垂直軸ｅを中心として旋回するので、駆動機構ｄ上に穀物Ａが堆積したままではそれが穀物排出オーガｂの旋回の妨げとなるだけでなく、堆積した穀物Ａが穀物排出オーガｂの旋回に伴って擦り潰されて損傷をきたす等の問題がある。
【０００４】
そこで、本発明は、上述のような問題点を解消しようとするものであって、中央部の穀物排出口側に設けた穀物排出オーガの駆動機構を、穀物排出口内に位置するモータと穀物排出オーガ側のギア機構をモータの出力軸に連結された垂直軸に連結して構成し、上記中央部の穀物排出口内に位置するモータにはその出力軸とともに回転する上部覆いを被せて、この上部覆いの上には堆積する穀物を拡散して中央部の穀物排出口に落入させる回転翼を取り付けたことにより、穀物排出オーガの駆動機構上に穀物が堆積するのを積極的に防止し、もって、駆動機構上に穀物が堆積することに起因する穀物排出オーガの旋回の妨げをなくすとともに、穀物排出オーガの旋回に伴って穀物が損傷をきたすことがない穀槽における穀物排出装置を提供することを目的とする。
【０００５】
【課題を解決するための手段】
本発明の穀槽における穀物排出装置は、底面床が平面状で円筒形の穀槽において、底面床の中央部に穀物排出口を設けるとともに、この穀物排出口側から穀槽の内周近傍まで延び、かつ上記中央部の穀物排出口側を中心として底面床に沿って旋回する穀物排出オーガを設けてなるものである。
【０００６】
そして、本発明の穀槽における穀物排出装置は、上記中央部の穀物排出口側に設けた穀物排出オーガの駆動機構を、穀物排出口内に位置するモータと穀物排出オーガ側のギア機構をモータの出力軸に連結された垂直軸に連結して構成し、上記中央部の穀物排出口内に位置するモータにはその出力軸とともに回転する上部覆いを被せて、この上部覆いの上には堆積する穀物を拡散して中央部の穀物排出口に落入させる回転翼を取り付けたことを特徴とするものである。
【０００７】
【発明の実施の形態】
図１は本発明に係る穀物排出装置を備えた穀槽の一部を破断して示す斜視図、図２は図１の一部の拡大縦断側面図、図３は図２の一部の分解斜視図、図４は穀槽の底面床の部分を示す平面図である。
【０００８】
図１ないし図４において、１は穀槽であって、この穀槽１は円筒形でかつ密閉状のものであり、その下部は通気性の底面床２で上下に区画され、上部が穀物貯留室３、下部が通気室４となっている。底面床２は水平で平面状をなしている。穀物貯留室３には穀物が貯蔵される。通気室４には、穀物貯留室３の方向に空気を循環流通させるため送風装置５が接続されている。６は空気循環ダクトである。
【０００９】
上記穀槽１の穀物貯留室３内において、底面床２の中央部にはホッパー状をなす穀物排出口７が開口されていて、通気室４内に形成された穀物排出樋８に接続されている。穀物排出樋８内には、穀物排出コンベア９が設けられている。また、上記底面床２上には、中央部の穀物排出口７側を旋回中心として穀槽１の内周近傍まで延びる穀物排出オーガ１０が設けられており、この穀物排出オーガ１０の旋回中心側にはそれを旋回させるとともにその回転螺旋体１１を回転させる駆動機構１２が備えられている。この駆動機構１２は、穀物排出口７内に位置するモータ１３と穀物排出オーガ１０側のギア機構１４からなるものであり、穀物排出オーガ１０の回転螺旋体１１の螺旋軸１５がギア機構１４に連結されており、ギア機構１４はモータ１３の出力軸に連結された垂直軸１６に連結されている。穀槽１の底面床には、穀物排出樋８に対応して、上記中央部の穀物排出口７のほか複数の穀物排出口１７が設けられている。
【００１０】
図３に詳細を示すように、上記穀物排出オーガ１０の旋回先端部には、その回転螺旋体１１の螺旋軸１５に連結した走行輪１８が設けられており、この走行輪１８は回転螺旋体１１とともに回転して、穀物排出オーガ１０に底面床２の中央部を旋回中心として旋回させる推進力を付与するものである。
【００１１】
穀槽１の上部中心部には穀物搬入口１９があり、この穀物搬入口１９には穀物搬送装置（図示せず）が接続される。２０は穀物均等配分装置である。２１は穀物攪拌オーガであって、穀槽１の中心から内周部にわたる旋回案内体２２に従って穀槽１内を移動しながら上下方向に堆積穀物を攪拌するものである。
【００１２】
穀物排出オーガ１０の旋回とその回転螺旋体１１を回転させる駆動機構１２は、前述のようにモータ１３とギア機構１４とにより構成されているが、モータ１３にはその出力軸とともに回転する上部覆い２３が被せてあり、この上部覆い２３の上に回転翼２４が取り付けられている。上記回転翼２４は、その回転により上部覆い２３の上面に堆積する穀物を拡散して中央部の穀物排出口７に落入させる作用をするものである。
【００１３】
穀槽１の穀物貯留室３には、貯蔵または乾燥する穀物を堆積貯留するが、穀槽１の穀物貯留室３から穀物を排出するにあたっては、先ず穀物排出口７，１７のシャッタを開き、穀物を穀物排出口７，１７からの自然排出で穀物排出コンベア９により穀物を排出する。そして、穀物の自然排出を行うだけでは、穀槽１内に穀物が残留するので、穀物の自然排出後は、穀物排出オーガ１０を稼動して、穀槽１内に残留した穀物を穀物排出口７，１７から穀物排出コンベア９に排出する。
【００１４】
穀物排出オーガ１０による穀物の排出は、穀物排出オーガ１０を旋回させながら回転螺旋体１１の回転により穀物を中央部に集送し、その集送過程で穀物排出口１７から、さらに中央部の穀物排出口７から穀物排出コンベア９によって排出する。
【００１５】
ところで、穀物排出オーガ１０の駆動機構１２には、それを構成するモータ１３の上部覆い２３の上に回転翼２４を設けているので、モータ１３の上部覆い２３上に堆積しようとする穀物は、回転翼２４による拡散作用により排除され、穀物排出口７に落入させる。このため、穀物排出オーガ１０の駆動機構１２上に穀物が堆積するのを積極的にかつ未然に防止することができ、駆動機構１２上に穀物が堆積することに起因する穀物排出オーガ１０の旋回の妨げがなく、穀物排出オーガ１０の旋回に伴って穀物が損傷をきたすこともない。
【００１６】
【発明の効果】
本発明によれば、中央部の穀物排出口側に設けた穀物排出オーガの駆動機構を、穀物排出口内に位置するモータと穀物排出オーガ側のギア機構をモータの出力軸に連結された垂直軸に連結して構成し、上記中央部の穀物排出口内に位置するモータにはその出力軸とともに回転する上部覆いを被せて、この上部覆いの上には堆積する穀物を拡散して中央部の穀物排出口に落入させる回転翼を取り付けたことにより、穀物排出オーガの駆動機構上に穀物が堆積するのを積極的に防止し、もって、駆動機構上に穀物が堆積することに起因する穀物排出オーガの旋回の妨げをなくすとともに、穀物排出オーガの旋回に伴って穀物が損傷をきたすことがない穀槽における穀物排出装置を提供することができる。
【図面の簡単な説明】
【図１】本発明に係る穀物排出装置を備えた穀槽の一部を破断して示す斜視図である。
【図２】図１の一部の拡大縦断側面図である。
【図３】図２の一部の分解斜視図である。
【図４】穀槽の底面床の部分を示す平面図である。
【図５】本発明の課題を説明するための縦断側面図である。
【符号の説明】
１  穀槽
２  底面床
３  穀物貯留室
４  通気室
５  送風装置
６  空気循環ダクト
７  穀物排出口
８  穀物排出樋
９  穀物排出コンベア
１０  穀物排出オーガ
１１  回転螺旋体
１２  駆動機構
１３  モータ
１４  ギア機構
１５  螺旋軸
１６  垂直軸
１７  穀物排出口
１８  走行輪
１９  穀物搬入口
２０  穀物均等配分装置
２１  穀物攪拌オーガ
２２  旋回案内体
２３  上部覆い
２４  回転翼
【図１】
0003797584.tif 000002
【図２】
0003797584.tif 000003
【図３】
0003797584.tif 000004
【図４】
0003797584.tif 000005
【図５】
0003797584.tif 000006